(57)【要約】【課題】発光ダイオードを光源とし、輝度ムラおよび色ムラを伴うことなく発光させることのできる遊技台用台間機の表示ランプを提案すること。【解決手段】遊技台用台間機１の前面パネル４の上端には動作表示用の表示ランプ５が取り付けられている。表示ランプ５は、光拡散機能が付与されたカバーレンズ板１４と、その背面側に配置された拡散レンズ板１３と、その背面側に配置された発光ダイオードチップ１１を備えている。カバーレンズ板１４のレンズ本体部分１４ｂと拡散レンズ板１３の拡散レンズ本体部分１３ｃの間隔は各部位でほぼ一定とされている。発光ダイオードチップ１１からの射出光は拡散レンズ板１３を介して拡散された後、その拡散レンズ本体部分１３ｃから等しい距離にあるカバーレンズ板１４のレンズ本体部分１４ｂを背面側から照射する。この結果、カバーレンズ板１４のレンズ本体部分１４ｂの表面は均一な輝度で、色ムラの無い状態で光る。【選択図】      図１
2004344566.tif 000002
【特許請求の範囲】
【請求項１】
遊技台用台間機の前面に取り付けられ、当該遊技台用台間機の動作状態等を表示する遊技台用台間機の表示ランプにおいて、
前記遊技台用台間機の前面に取り付けた、光拡散機能を備えた透光性のカバーレンズ板と、
前記カバーレンズ板の背面側に配置した、光拡散機能を備えた透光性の拡散レンズ板と、
前記拡散レンズ板の背面に光を照射する発光ダイオードとを有し、
前記カバーレンズ板のレンズ本体部分と前記拡散レンズ板のレンズ本体部分の間隔が各部分でほぼ同一である遊技台用台間機の表示ランプ。
【請求項２】
請求項１において、
前記カバーレンズ板のレンズ本体部分と前記拡散レンズ板のレンズ本体部分はほぼ相似形である遊技台用台間機の表示ランプ。
【請求項３】
請求項１または２において、
前記発光ダイオードは多色発光ダイオードである遊技台用台間機の表示ランプ。
【請求項４】
請求項３において、
前記カバーレンズ板は乳白色である遊技台用台間機の表示ランプ。
【請求項５】
請求項１ないし４のうちのいずれかの項に記載の表示ランプを備えた遊技台用台間機。
【発明の詳細な説明】
【０００１】
【発明の属する技術分野】
本発明は、パチンコ台などの遊技台に用いる遊技媒体の貸し出しを行うために遊技台の間や隣接位置に配置される遊技台用台間機に関し、特に、遊技媒体の貸し出しが可能であるか否かなどの動作状態を遊技客や遊技店の従業員に知らせるために台間機前面に取り付けられている表示ランプに関するものである。
【０００２】
【従来の技術】
遊技台用台間機の前面に取り付けられている動作状態などを表示するための表示ランプでは、一般に発光ダイオードが光源として用いられている。発光ダイオードは台間機内蔵の制御器により、動作状態などに応じて、点灯、点滅、消灯などを行うように駆動制御される。発光ダイオードの前方には透光性のカバーレンズ板が取り付けられている。カバーレンズ板は、その背面にダイヤカットなどの刻印による光拡散処理が施されており、発光ダイオードの点灯時にカバーレンズ板の全体が均一に明るくなるように、また、発光ダイオードの発光点がカバーレンズ板の外側から視認できないようにしている。光拡散処理としては、樹脂製のカバーレンズ板に光拡散材を練り込む方法も知られている。
【０００３】
近年においては発光ダイオードの高輝度化および小型化が進み、これに伴って、表示ランプのカバーレンズ板に光拡散処理を施しても、カバーレンズ板の全体を均一に明るくすることが困難になると共に、カバーレンズ板の外側から発光ダイオードの発光点が見えてしまう場合がある。また、発光ダイオードとして赤、緑、青の三色の光を射出可能な多色発光ダイオードを用いた場合には、カバーレンズ板が色ムラのある状態で光ってしまうなどの弊害がある。これらの弊害を回避するために、カバーレンズ板を厚くし、あるいはカバーレンズ板自体の色を濃くすることが考えられるが、このような方法では、カバーレンズ板から放射される光量が落ち、表示ランプの明るさが低下してしまうので好ましくない。
【０００４】
そこで、下記の特許文献に記載されるような発光ダイオードを光源とする遊技機の照明構造を採用することが考えられる。この照明構造では、発光ダイオードからの射出光が、独立拡散用レンズによって拡散されて、その照射角度、照射領域が広くされ、しかる後に光源カバーを透過して外方へ照射されるようになっている。
【０００５】
【特許文献】
特開２００３−８１４号公報
【０００６】
【発明が解決しようとする課題】
このように、発光ダイオードとカバーレンズ板の間に、もう一枚の拡散レンズ板を配置すれば、カバーレンズ板のみを備えている場合に比べて、カバーレンズ板の発光状態をより均一化できる。
【０００７】
本発明の課題は、このような二重のレンズ構造に改良を加え、色むらが発生することなく、しかも、均一な明るさで発光させることのできる遊技台用台間機の表示ランプを提案することにある。
【０００８】
【課題を解決するための手段】
上記の課題を解決するために、本発明は、遊技台用台間機の前面に取り付けられ、当該遊技台用台間機の動作状態等を表示する遊技台用台間機の表示ランプにおいて、
前記遊技台用台間機の前面に取り付けた、光拡散機能を備えた透光性のカバーレンズ板と、
前記カバーレンズ板の背面側に配置した、光拡散機能を備えた透光性の拡散レンズ板と、
前記拡散レンズ板の背面に光を照射する発光ダイオードとを有し、
前記カバーレンズ板のレンズ本体部分と前記拡散レンズ板のレンズ本体部分の間隔が各部分でほぼ同一であることを特徴としている。
【０００９】
本発明の遊技台用台間機の表示ランプでは、発光ダイオードの前方に配置されている拡散レンズ板のレンズ本体部分とカバーレンズ板のレンズ本体部分の間隔をほぼ同一としてある。この構成を採用することにより、発光ダイオードから射出光は拡散レンズ板のレンズ本体部分を介して拡散光となって、カバーレンズ板のレンズ本体部分の背面を照射する。拡散レンズ板のレンズ本体部分とカバーレンズ板のレンズ本体部分の距離が各部分で等しいので、カバーレンズ板のレンズ本体部分は、その表面側から見た場合に、全体として均一で、色ムラのない状態で光る。
【００１０】
ここで、前記カバーレンズ板と前記拡散レンズ板をほぼ相似形とすれば、これらの間隔を一定にすることができる。
【００１１】
また、前記発光ダイオードとして多色発光ダイオードを用いることができる。本発明によれば、多色発光ダイオードを光源とした場合に、カバーレンズ板を色ムラの無い状態で発光させることができる。
【００１２】
また、多色発光ダイオードを用いる場合には、光が映えるように前記カバーレンズ板を乳白色とすることが望ましい。
【００１３】
一方、本発明は遊技台用台間機に関するものであり、上記構成の表示ランプを備えたことを特徴としている。
【００１４】
【発明の実施の形態】
以下に、図面を参照して、本発明を適用した遊技台用台間機の表示ランプを説明する。
【００１５】
（実施の形態１）
図１（ａ）および（ｂ）は本発明を適用した遊技台用台間機の側面図および表示ランプの縦断面図である。遊技台用台間機１は、パチンコ店などの遊技店において、遊技島を構成している遊技台の間、あるいは遊技島の端に配置されている遊技台の隣接位置に配置される。遊技台用台間機１は、遊技島のフレーム側に固定される台間機ホルダ２と、台間機ホルダ２に対して前側から着脱可能な状態で装着されている台間機本体３から構成されている。台間機ホルダ２は縦枠２ａと、その上下の端から前方に水平に延びている上枠２ｂおよび下枠２ｃから構成されている。台間機本体３は扁平な縦長の直方体形状をしており、例えば、上側の本体ユニット３ａと下側の電源ユニット３ｂから構成され、これらは個別に台間機ホルダ２に着脱可能となっている。この構成の台間機本体３の前面には樹脂製の前面パネル４が取り付けられている。本例では、４枚のパネル４ａ〜４ｄから前面パネル４が構成されている。
【００１６】
最も上側のパネル４ａの上端部分には、表示ランプ５が取り付けられている。表示ランプ５は、遊技台用台間機１の状態を表示するためのものであり、例えば、遊技媒体の貸し出しが可能な場合には点灯状態とされ、それが不可の場合には消灯状態とされ、トラブル発生時などには点滅状態とされる。表示ランプ５の駆動制御は、遊技台用台間機１の動作を司っている内蔵の制御器６によって行われる。
【００１７】
図１（ｂ）に示すように、表示ランプ５は、発光ダイオードチップ１１が搭載された回路基板１２と拡散レンズ板１３とカバーレンズ板１４を備えている。駆動電力は、回路基板１２に接続されたコネクタ１５から引き出されているリード線１６を介して内蔵の制御器６の側から供給される。
【００１８】
カバーレンズ板１４は、パネル４ａに開けたほぼ矩形の開口部４ｅを覆う状態に当該パネル４ａに取り付けられており、開口部４ｅの開口縁部分に背面側から掛止されている矩形枠状の掛止縁部分１４ａと、この掛止縁部分１４ａからパネル４ａよりも前方に円弧状に突出しているレンズ本体部分１４ｂとを備えている。本例のカバーレンズ板１４はポリカーボネート樹脂、アクリル樹脂などからなる樹脂成形板であり、透光性を有する乳白色とされている。また、カバーレンズ板１４は、その背面を乱反射面にし、あるいは光拡散材を練り込むことにより、光拡散機能が付与されている。
【００１９】
カバーレンズ板１４の背面側の部位には発光ダイオードチップ１１が搭載された回路基板１２が配置されており、発光ダイオードチップ１１からの射出光の主光軸１１ａが、カバーレンズ板１４の中心を通る水平方向に向くように配置されている。発光ダイオードチップ１２とカバーレンズ板１４の間に拡散レンズ板１３が配置されている。拡散レンズ板１３は、背面側から回路基板１２の外周縁部分に掛止されている矩形枠状の掛止部分１３ａと、この掛止部分１３ａから前方に水平に延びている矩形筒状部分１３ｂと、矩形筒状部分１３ｂの前端開口を封鎖している前方に突出している円弧状の拡散レンズ本体部分１３ｃとを備えている。
【００２０】
拡散レンズ本体部分１３ｃは、その中心に主光軸１１ａが通るように配置され、しかも、カバーレンズ板１４のレンズ本体部分１４ｂとほぼ相似形状をしている。したがって、拡散レンズ板１３の拡散レンズ本体部分１３ｃとカバーレンズ板１４のレンズ本体部分１４ｂの間隔は、各部分においてほぼ一定となっている。
【００２１】
拡散レンズ板１３は、例えば、ポリカーボネート樹脂やアクリル樹脂などの樹脂成形板であり、その背面を乱反射面とする方法や、光拡散材を練り込むなどの方法により、光拡散機能が付与されている。
【００２２】
このように、遊技台用台間機１の表示ランプ５は、拡散機能が付与されたカバーレンズ板１４と、その背面側に配置された拡散レンズ板１３と、その背面側に配置された発光ダイオードチップ１１を備えている。また、カバーレンズ板１４のレンズ本体部分１４ｂと拡散レンズ板１３の拡散レンズ本体部分１３ｃの間隔は各部位でほぼ一定とされている。したがって、発光ダイオードチップ１１からの射出光は拡散レンズ板１３を介して拡散された後、その拡散レンズ本体部分１３ｃから等しい距離にあるカバーレンズ板１４のレンズ本体部分１４ｂを背面側から照射する。この結果、カバーレンズ板１４のレンズ本体部分１４ｂの表面は均一な輝度で、色ムラの無い状態で光る。また、カバーレンズ板１４の外側から発光ダイオードチップ１１の発光点が視認されることもない。
【００２３】
（実施の形態２）
図２は、上記の表示ランプ５の変形例を示す縦断面図であり、表示ランプ５における対応する部位には同一の符号を付してある。本例の表示ランプ５Ａは、拡散レンズ板として、カバーレンズ板１４よりも一回り小さな相似形の拡散レンズ板１７を用いている。すなわち、拡散レンズ板１７は、カバーレンズ板１４の掛止部分１４ａに背面側から掛止されている矩形枠状の掛止部分１７ａと、前方に突出している円弧状断面の拡散レンズ本体部分１７ｃとを備えた形状をしている。また、カバーレンズ板１４のレンズ本体部分１４ｂと拡散レンズ板１７の拡散レンズ本体部分１７ｃの間は、各部分の間隔が一定とされている。拡散レンズ板１７もポリカーボネート樹脂やアクリル樹脂などの樹脂成形品である。
【００２４】
このように構成した表示ランプ５Ａにおいても上記の表示ランプ５と同様に、発光ダイオードチップ１１からの射出光が、カバーレンズ板１４のレンズ本体部分１４ｂの各部分に均一に拡散され、輝度ムラ、色ムラの無い発光状態を形成できる。
【００２５】
（実施の形態３）
図３（ａ）、（ｂ）および（ｃ）は本発明を適用した遊技台用台間機の表示ランプが取り付けられた遊技台用台間機の前面パネルの部分を示す部分側面図、部分正面図および部分断面図である。遊技台用台間機の構成は図１に示す場合と同様とすることができる。本例の表示ランプ５Ｂは、遊技台用台間機の前面パネル２４の上端に形成した開口部２４ｅに組み込まれている。
【００２６】
表示ランプ５Ｂは、カバーレンズ板３４と、この背面側に配置されている拡散レンズ板３３と、この背面側に配置されている多色発光ダイオードチップ３１とを備えている。発光ダイオードチップ３１は回路基板３２に実装されており、そこからの射出光の主光軸３１ａが前方に向けて水平となるように設定されている。
【００２７】
カバーレンズ板３４は、前面パネル２４の開口部２４ｅの開口縁部分に対して背面側から掛止されているほぼ矩形枠状の掛止部分３４ａと、掛止部分３４ａの下辺縁部分から前方に水平に延びている下面部分３４ｂと、掛止部分３４ａの左右の側辺縁部分から内側に向けて僅かな曲率で円弧状に延びている側面部分３４ｃ、３４ｄと、掛止部分３４ａの上辺縁部分から下方に向けて円弧状に延びている上面部分３４ｅと、これら下面部分３４ｂ、側面部分３４ｃ、３４ｄおよび上面部分３４ｅに連続している垂直に延びている前面部分３４ｆとを備えている。
【００２８】
カバーレンズ板３４における前面部分３４ｆ、左右の側面部分３４ｃ、３４ｄおよび上面部分３４ｅが、レンズ本体部分として機能し、少なくともこれらの部位には光拡散機能が付与されている。
【００２９】
カバーレンズ板３４の背面側に配置されている拡散レンズ板３３は、カバーレンズ板３４よりも一回り小さなほぼ相似形状をしており、回路基板３２の外周縁部分に背面側から掛止されている矩形枠状の掛止部分３３ａと、掛止部分３３ａの下辺縁部分から前方に水平に延びている下面部分３３ｂと、掛止部分３３ａの左右の側辺縁部分から内側に向けて僅かな曲率で円弧状に延びている側面部分（図示せず）と、掛止部分３３ａの上辺縁部分から下方に向けて円弧状に延びている上面部分３３ｅと、これら下面部分３３ｂ、両側面部分および上面部分３３ｅに連続している垂直に延びている前面部分３３ｆとを備えている。
【００３０】
拡散レンズ板３３における前面部分３３ｆ、左右の側面部分および上面部分３３ｅが、拡散レンズ本体部分として機能し、少なくともこれらの部位に光拡散機能が付与されている。また、これらの部分と、対応するカバーレンズ板３４の前面部分３４ｆ、左右の側面部分３４ｃ、３４ｄ、および上面部分３４ｅとの間の間隔はほぼ一定とされている。
【００３１】
なお、カバーレンズ板３４および拡散レンズ板３３はポリカーボネート樹脂、アクリル樹脂などの樹脂成形品であり、それらは透光性を有する乳白色とされている。また、回路基板３２の背面にはコネクタ３５が接続されており、コネクタ３５から延びるリード線３６を介して、遊技台用台間機内蔵の制御器（図示せず）の側から給電が行われるようになっている。
【００３２】
このように構成した遊技台用台間機の表示ランプ５Ｂにおいても、上記の表示ランプ５、５Ａと同様に、発光ダイオードチップ３１からの射出光が、カバーレンズ板３４のレンズ本体部分３４ｂの各部分に均一に拡散され、輝度ムラ、色ムラの無い発光状態を形成できる。また、表示ランプ５Ｂでは、その上面側の部分（カバーレンズ板３４の上面部分３４ｅ）を広くとってあり、この部分が光ることにより、側方からの視認性が高まるという利点もある。
【００３３】
【発明の効果】
以上説明したように、本発明の遊技台用台間機の表示ランプにおいては、発光ダイオードからの射出光を拡散レンズ板を介して拡散し、さらに、拡散光をカバーレンズ板を介して拡散して外部に出射するようにしている。また、拡散レンズ板のレンズ本体部分とカバーレンズ板のレンズ本体部分の間隔を各部分において一定となるようにしてある。したがって、本発明によれば、カバーレンズ板の表面を輝度ムラなく、均一に発光させることができ、しかも、色ムラの発生も抑制できる。
【図面の簡単な説明】
【図１】（ａ）は本発明を適用した表示ランプを備えた遊技台用台間機の側面図であり、（ｂ）は表示ランプの縦断面図である。
【図２】図１の表示ランプの変形例を示す縦断面図である。
【図３】本発明を適用した表示ランプの別の例を示す図であり、（ａ）は表示ランプが取り付けられている遊技台用台間機の前面パネルの部分を示す部分側面図であり、（ｂ）はその部分正面図であり、（ｃ）はその部分縦断面図である。
【符号の説明】
１    遊技台用台間機
２    台間機ホルダ
３    台間機本体部分
４、２４    前面パネル
４ａ  表示ランプが取り付けられているパネル
４ｅ、２４ｅ  開口部
５、５Ａ、５Ｂ  表示ランプ
６    制御器
１１、３１  発光ダイオード
１１ａ、３１ａ  主光軸
１２、３２  回路基板
１３、１７、３３  拡散レンズ板
１４、３４  カバーレンズ板
【図１】
2004344566.tif 000003
【図２】
2004344566.tif 000004
【図３】
2004344566.tif 000005